(57)【特許請求の範囲】
【請求項１】
１のケースに種類の異なる複数のコネクタを挿抜方向を揃えて設け、これら複数のコネクタを１の携帯端末の同一面に設けられたそれぞれの相手コネクタに挿入するコネクタにおいて、相手コネクタへの挿入量が最も短い１のコネクタを挿抜方向に移動自在にケースに取り付けると共に、１のコネクタを挿入方向に常時付勢し他のコネクタより挿入方向前方へ押し出す弾性部材を設け、他のコネクタとケースとの間には挿抜方向と直交する方向の融通隙間を設けたことを特徴とするコネクタ。
【請求項２】
１のコネクタがミニＵＳＢプラグであり、他のコネクタがミニＵＳＢプラグより相手コネクタへの挿入量が長いプラグである請求項１に記載のコネクタ。
【請求項３】
他のコネクタが丸型のイヤホンプラグとＤＣ電源用プラグを挿抜方向を揃えて一体化したプラグである請求項２に記載のコネクタ。
【請求項４】
１のケースにミニＵＳＢプラグの相手コネクタと同じミニＵＳＢソケットと、イヤホンプラグの相手コネクタと同じイヤホンジャックと、ＤＣ電源用プラグの相手コネクタと同じＤＣ電源用ジャックとを挿抜方向を揃えて設けると共に、これらミニＵＳＢソケットとイヤホンジャックとＤＣ電源用ジャックとを１のケースに内蔵する１のプリント配線基板に実装し、ミニＵＳＢプラグとイヤホンプラグとＤＣ電源用プラグとをそれぞれ電線を介してプリント配線基板に接続し、ミニＵＳＢプラグとミニＵＳＢソケット、イヤホンプラグとイヤホンジャック、ＤＣ電源用プラグとＤＣ電源用ジャックとを、それぞれ電気的に接続した請求項３に記載のコネクタ。
【請求項５】
ミニＵＳＢプラグをプリント配線基板に接続する電線にミニＵＳＢプラグの移動距離以上の弛みを設けた請求項４に記載のコネクタ。
【発明の詳細な説明】
【技術分野】
【０００１】
本発明は１のケースに種類の異なる複数のコネクタを挿抜方向を揃えて設けたコネクタに関する。
【背景技術】
【０００２】
従来より携帯電話機を車載のシガーソケットから充電したり、車内で携帯電話機をハンズフリーで使用したり、携帯電話機で再生した音楽を車載のオーディオ機器経由で楽しむことが、携帯電話機と車載用の各種アダプタや車載の対応機器とのケーブル接続でできるようになっているが、携帯電話機に直接ケーブルを装着するのでその取り外しや再装着が面倒といった不具合があった。
【発明の開示】
【発明が解決しようとする課題】
【０００３】
そこで車載用の携帯電話機ホルダーや充電台等に携帯電話機とケーブルとの中継用コネクタ（アダプタ）を組み込むことにより、携帯電話機に直接ケーブルを装着する必要がなくなるので、携帯電話機を車内で面倒なく使用できるようになる。しかし中継用コネクタには種類の異なる複数のコネクタを挿抜方向を揃えて設ける必要があり、この場合各種コネクタ間で携帯電話機側の相手コネクタとの挿入量（嵌合量）が異なり出代に段差が付くため、後に挿入されるコネクタほど（携帯電話機側の相手コネクタへの挿入量が短いコネクタほど）挿入が困難になるという問題がある。
【０００４】
本発明は上記の問題に鑑みてなされたもので、１のケースに種類の異なる複数のコネクタを挿抜方向を揃えて設けても容易に携帯電話機等携帯端末側の相手コネクタに挿入できるコネクタを提供することを目的とする。
【課題を解決するための手段】
【０００５】
本発明の請求項１に係る発明は１のケースに種類の異なる複数のコネクタを挿抜方向を揃えて設け、これら複数のコネクタを１の携帯端末の同一面に設けられたそれぞれの相手コネクタに挿入するコネクタにおいて、相手コネクタへの挿入量が最も短い１のコネクタを挿抜方向に移動自在にケースに取り付けると共に、１のコネクタを挿入方向に常時付勢し他のコネクタより挿入方向前方へ押し出す弾性部材を設け、他のコネクタとケースとの間には挿抜方向と直交する方向の融通隙間を設けたものである。この相手コネクタへの挿入量が最も短い１のコネクタを挿抜方向に移動自在にケースに取り付けると共に、１のコネクタを挿入方向に常時付勢し他のコネクタより挿入方向前方へ押し出す弾性部材を設けた構成により本来最後に挿入される１のコネクタを他のコネクタより先に相手コネクタに嵌合できるため、１のケースに種類の異なる複数のコネクタを挿抜方向を揃えて設けたコネクタの携帯電話機等携帯端末側の相手コネクタへの挿入が容易に行える。また、他のコネクタとケースとの間には挿抜方向と直交する方向の融通隙間を設けた構成により１のコネクタの後に相手コネクタに挿入される他のコネクタを融通隙間により挿抜方向と直交する方向に僅かに動かすことができるため、１のコネクタとのピッチ調整が行え、１のケースに種類の異なる複数のコネクタを挿抜方向を揃えて設けたコネクタの携帯電話機等携帯端末側の相手コネクタへの挿入力を小さくできる。
【０００６】
本発明の請求項２に係る発明は上記請求項１に係る発明において、１のコネクタがミニＵＳＢプラグであり、他のコネクタがミニＵＳＢプラグより相手コネクタへの挿入量が長いプラグであるもので、この構成によりミニＵＳＢプラグの相手コネクタとミニＵＳＢプラグより相手コネクタへの挿入量が長いプラグの相手コネクタとを有する携帯電話機等携帯端末に適用できる。
【０００７】
本発明の請求項３に係る発明は上記請求項２に係る発明において、他のコネクタが丸型のイヤホンプラグとＤＣ電源用プラグを挿抜方向を揃えて一体化したプラグであり、この構成により、ミニＵＳＢプラグの相手コネクタ（ミニＵＳＢソケット）とイヤホンプラグの相手コネクタ（イヤホンジャック）とＤＣ電源用プラグの相手コネクタ（ＤＣ電源用ジャック）とを有する携帯電話機等携帯端末に適用できる。
【０００８】
本発明の請求項４に係る発明は上記請求項３に係る発明において、１のケースにミニＵＳＢプラグの相手コネクタと同じミニＵＳＢソケットと、イヤホンプラグの相手コネクタと同じイヤホンジャックと、ＤＣ電源用プラグの相手コネクタと同じＤＣ電源用ジャックとを挿抜方向を揃えて設けると共に、これらミニＵＳＢソケットとイヤホンジャックとＤＣ電源用ジャックとを１のケースに内蔵する１のプリント配線基板に実装し、ミニＵＳＢプラグとイヤホンプラグとＤＣ電源用プラグとをそれぞれ電線を介してプリント配線基板に接続し、ミニＵＳＢプラグとミニＵＳＢソケット、イヤホンプラグとイヤホンジャック、ＤＣ電源用プラグとＤＣ電源用ジャックとを、それぞれ電気的に接続したものである。この構成により携帯電話機等携帯端末とケーブルとの中継用コネクタ（アダプタ）が得られる。
【０００９】
本発明の請求項５に係る発明は上記請求項４に係る発明において、ミニＵＳＢプラグをプリント配線基板に接続する電線にミニＵＳＢプラグの移動距離以上の弛みを設けたものである。この構成により１のコネクタであるミニＵＳＢプラグがこの相手コネクタと同じミニＵＳＢソケットと電気的に接続した状態で挿抜方向に移動できる。
【発明の効果】
【００１０】
本発明によれば１のケースに種類の異なる複数のコネクタを挿抜方向を揃えて設けても容易に携帯電話機等携帯端末側の相手コネクタに挿入できるコネクタを提供できる。
【発明を実施するための最良の形態】
【００１１】
以下本発明の実施の形態を図面を参照して説明する。図１は本発明の実施の形態に係る中継用コネクタの上ケース除去状態の斜視図、図２は図１のプラグ側部のみ分解した状態の斜視図、図３は図１のプラグ側部の平面説明図、図４は図１のプラグ側部の正面説明図である。なお以下の説明では特に断りがない場合、図１における矢印ａ−ｂ方向を上下方向、矢印ｃ−ｄ方向を左右方向、矢印ｅ−ｆ方向を前後方向として説明する。
【００１２】
この中継用コネクタ（アダプタ）１は一側に種類の異なる複数のコネクタ（オス）２，３，４を挿抜方向を揃えて一体化したシステムコネクタ（オス）５を構成し、他側に前記システムコネクタ（オス）５の構成コネクタ２，３，４の相手コネクタと同じコネクタ（メス）６，７，８を挿抜方向を揃えて一体化したシステムコネクタ（メス）９を構成している。具体的には１の直方体状のケース１０の前側に図示しない携帯電話機の一側面に配設されたミニＵＳＢソケットと丸型のイヤホンジャックとＤＣ電源用ジャックを相手コネクタとする種類の異なる複数のコネクタ、つまりミニＵＳＢプラグ２と丸型のイヤホンプラグ３とＤＣ電源用プラグ４とを挿抜方向を揃えて、かつ相手コネクタと同じ配列及び間隔で設けて前記システムコネクタ（オス）５を構成すると共に、前記ケース１０の後側に前記システムコネクタ（オス）５の各プラグ２，３，４の相手コネクタと同じコネクタ、つまりミニＵＳＢソケット６と丸型のイヤホンジャック７とＤＣ電源用ジャック８とを挿抜方向を揃えて、かつ各プラグ２，３，４と同じ配列及び間隔で設けて前記システムコネクタ（メス）９を構成している。
【００１３】
ここでミニＵＳＢプラグ２は柔軟な樹脂モールドにて成形されたモールドコネクタであり、このミニＵＳＢプラグ２の外形が直方体形状のモールド部２ａに樹脂製のスライダ１１を装着固定するもので、このスライダ１１は滑性に優れたＰＴＦＥ等のフッ素樹脂等の樹脂材料からなり、モールド部２ａと同じ長さを有し、かつモールド部２ａを内側に嵌合可能な四角筒形のスライダ本体１１ａと、このスライダ本体１１ａの左右側面の後端部で上下中間部にスライダ本体１１ａの軸芯線に沿って突設する角軸状の前ストッパ１１ｂと、スライダ本体１１ａの後端面と面一に設ける前ストッパ１１ｂの後端面から後方へ前ストッパ１１ｂと同一軸芯線上で突設する丸ピン状のバネガイドを兼ねる後ストッパ１１ｃとを一体に形成している。そしてスライダ１１のスライダ本体１１ａをミニＵＳＢプラグ２のモールド部２ａの外側に嵌合して接着固定し一体化することにより、ミニＵＳＢプラグ２のモールド部２ａの前端から後端までの全面を滑性に優れた樹脂（スライダ本体１１ａ）で被覆すると共に、ミニＵＳＢプラグ２のモールド部２ａの左右側面の後端部で上下中間部に角軸状の前ストッパ１１ｂをミニＵＳＢプラグ２の挿抜方向に沿って突設し、かつミニＵＳＢプラグ２のモールド部２ａの後端面（ミニＵＳＢプラグ２の後端面）と面一に設ける前ストッパ１１ｂの後端面から後方へ丸ピン状のバネガイドを兼ねる後ストッパ１１ｃを前ストッパ１１ｂと同一軸芯線上で突設するように構成している。このミニＵＳＢプラグ２はスライダ１１を装着固定したモールド部２ａの前端側からミニＵＳＢプラグ本体２ｂを突出させて露出させている。
【００１４】
イヤホンプラグ３とＤＣ電源用プラグ４は柔軟性のある樹脂モールドにて挿抜方向を揃えるように平行に一体化され、１のピン（丸型）プラグ（モールドコネクタ）１２に構成している。このピンプラグ１２の外形が直方体形状のモールド部１２ａに枠板１３を装着固定するもので、この枠体１３はＰＥ等の硬質の樹脂材料からなり、モールド部１２ａの外側に嵌合可能な四角い環状に形成している。そして枠板１３をピンプラグ１２の前方からモールド部１２ａの上下側面に突設したストッパ１２ｂに当たるまでそのモールド部１２ａの外側に嵌合し、枠板１３の前側面がモールド部１２ａの前端面と面一なる嵌合位置で接着固定し一体化することにより、ピンプラグ１２のモールド部１２ａの前端部全周に外側に張出す鍔部を一体に設けるように構成している。このピンプラグ１２は枠板１３を装着固定したモールド部１２ａの前端側からイヤホンプラグ３のプラグピン３ａとＤＣ電源用プラグ４のプラグピン４ａを平行に突出させて露出させている。
【００１５】
ミニＵＳＢソケット６とイヤホンジャック７とＤＣ電源用ジャック８は前記ケース１０の後部に内装可能な矩形状の一枚のプリント配線基板１４にそれぞれのプラグ挿入口を後方に向け、かつそれぞれのプラグ挿入口側端部をプリント配線基板１４の後側のエッジから突出するように横並び状態で実装している。
【００１６】
ケース１０は樹脂製の下ケース１０Ａと、この下ケース１０Ａに接合固定される樹脂製の上ケース１０Ｂとで構成されている。なお下ケース１０Ａと上ケース１０Ｂはその何れか一方に前記プリント配線基板１４を装着固定する以外は略同じ構造（上下対称）であるため下ケース１０Ａの構造を説明し上ケース１０Ｂの構造説明は省略する。
【００１７】
下ケース１０Ａの前側面に上方に向けて開放したコ字形の第１の切り欠き１５と第２の切り欠き１６とを横並び状態で設けると共に、下ケース１０Ａの内側前部にこの下ケース１０Ａの内底面からリブ状に立設した隔壁１７，１８，１９により上面及び後面を開放し、かつ前面を前記第１の切り欠き１５を介して下ケース１０Ａの外側に開放した第１のプラグ収容部２０と、上面を開放し、かつ前面を前記第２の切り欠き１６を介して外側に開放した第２のプラグ収容部２１とを隣接して画成している。また前記第１のプラグ収容部２０の左右側に前後方向に平行に立設した隔壁１７，１８にこの前部の高さより後部の高さを一段下げるための切り欠き１７ａ，１８ａを設けると共に、この隔壁１７，１８の後端側に下ケース１０Ａの内底面からリブ状に立設した平面視の形状が前方に向けて開放したコ字形の左右の隔壁２２，２３により上面及び前面を開放した左右のバネ収容部２４，２５を直列に画成している。さらに前記第２のプラグ収容部２１の前端部にその周側面に沿って周溝２６を設けている。
【００１８】
そして下ケース１０Ａの前部内側の右側部に画成した前記第２のプラグ収容部２１に前記ピンプラグ１２のモールド部１２ａの下側半分を、そのモールド部１２ａに装着固定した枠板１３の下側半分を周溝２６に嵌め込んだ状態で、嵌め込むもので、図３，図４に示すように第２のプラグ収容部２１をモールド部１２ａの下側半分の全面（左右側面、下側面、後側面）との間に隙間を設けるようにそのモールド部１２ａの下側半分の外形より僅かに大きく形成すると共に、周溝２６を枠板１３の下側半分の前側面及び後側面を除く左右側面と下側面（外周側面）との間に隙間を設けるようにその枠板１３の外形より僅かに大きく形成している。これにより前記ピンプラグ１２の枠板１３が装着固定されたモールド部１２ａとこのモールド部１２ａを周溝２６を介して嵌め込む下ケース１０Ａのプラグ収容部２１との間にピンプラグ１２を挿抜方向（前後方向）と直交する上下方向と左右方向にのみ僅かに動かすための融通隙間Ｓ１，Ｓ２を設けている。
【００１９】
而してピンプラグ１２はこのモールド部１２ａを下ケース１０Ａの第２のプラグ収容部２１とそれに対応する上ケース１０Ｂの第２のプラグ収容部との間に、そのモールド部１２ａに装着固定した枠板１３を下ケース１０Ａの周溝２６と上ケース１０Ｂの周溝との間に挟み込んだ状態で、挟み込むことにより、ケース１０に対して挿抜方向（前後方向）の位置を固定した状態で、前記融通隙間Ｓ１，Ｓ２の範囲内で挿抜方向と直交する方向にのみ僅かに動かすことができるように取り付けている。このようにケース１０に取り付けたピンプラグ１２はイヤホンプラグ３のプラグピン３ａとＤＣ電源用プラグ４のプラグピン４ａを下ケース１０Ａの第２の切り欠き１６とそれに対応する上ケース１０Ｂの第２の切り欠きとの間から、つまりケース１０の前側面右側部から相手コネクタへの挿入量に対応する長さ分前方に向けて平行に突出している。この場合イヤホンプラグ３のプラグピン３ａとＤＣ電源用プラグ４のプラグピン４ａのそれぞれの相手コネクタへの挿入量はイヤホンプラグ３の方が長いため、イヤホンプラグ３のプラグピン３ａとＤＣ電源用プラグ４のプラグピン４ａのそれぞれのケース１０の前側面からの突出長さはイヤホンプラグ３の方が長くなる。
【００２０】
また下ケース１０Ａの前部内側の左側部に形成した前記第１のプラグ収容部２０に前記ミニＵＳＢプラグ２のスライダ１１を装着固定したモールド部２ａの下側半分を、そのモールド部２ａに設けた各前ストッパ１１ｂの下側半分を隔壁１７，１８の切り欠き１７ａ，１８ａに嵌め込んだ状態で、挿抜方向（前後方向）に移動自在に嵌め込むと共に、各前ストッパ１１ｂの後端面とそれに対向する隔壁２２，２３の閉鎖端面との間にそれぞれ弾性部材である圧縮コイルバネ２７，２８を各後ストッパ１１ｃを内側に差し込んだ状態で設け、この各圧縮コイルバネ２７，２８によりミニＵＳＢプラグ２を挿入方向（前方）へ常時付勢している。
【００２１】
而してミニＵＳＢプラグ２はスライダ１１を装着固定したモールド部２ａを下ケース１０Ａの第１のプラグ収容部２０とそれに対応する上ケース１０Ｂの第１のプラグ収容部との間に、そのモールド部２ａの各前後ストッパ１１ｂ，１１ｃと各圧縮コイルバネ２７，２８を下ケース１０Ａの隔壁１７，１８の切り欠き１７ａ，１８ａ及び隔壁２２，２３内のバネ収容部２４、２５とそれに対応する上ケース１０Ｂの隔壁の切り欠き及び隔壁内のバネ収容部との間に挟み込んだ状態で、挟み込むことにより、ケース１０に対して各前後ストッパ１１ｂ，１１ｃの移動可能範囲内で挿抜方向（前後方向）に移動自在に取り付けると共に、各圧縮コイルバネ２７，２８により挿入方向（前方）へ常時付勢している。このようにケース１０に取り付けたミニＵＳＢプラグ２は相手コネクタとの非接続状態時に図１及び図３の実線に示すように圧縮コイルバネ２７，２８により各前ストッパ１１ｂの前端面が下ケース１０Ａの隔壁１７，１８の切り欠き１７ａ，１８ａの前端段差面とそれに対応する上ケース１０Ｂの隔壁の切り欠きの前端段差面に突き当たり挿入方向（前方）への移動が規制される位置に押し出され、モールド部２ａの前側部とミニＵＳＢプラグ本体２ｂを下ケース１０Ａの第１の切り欠き１５とそれに対応する上ケース１０Ｂの第１の切り欠きとの間から、つまりケース１０の前側面左側部から前方に向けて前記ピンプラグ１２のイヤホンプラグ３のプラグピン３ａとＤＣ電源用プラグ４のプラグピン４ａと平行に突出する一方、相手コネクタとの接続状態時（完全挿入状態時）に図３の仮想線に示すように各圧縮コイルバネ２７，２８が付勢力に抗して圧縮されて各後ストッパ１１ｂの後端が隔壁２２，２３の閉鎖端面に突き当たり抜去方向（後方）への移動が規制される位置に押し込まれ、モールド部２ａの前端がケース１０の前側面と面一になり、ミニＵＳＢプラグ本体２ｂのみを下ケース１０Ａの第１の切り欠き１５とそれに対応する上ケース１０Ｂの第１の切り欠きとの間から、つまりケース１０の前側面左側部から前方に向けて前記ピンプラグ１２のイヤホンプラグ３のプラグピン３ａとＤＣ電源用プラグ４のプラグピン４ａと平行に突出している。この場合ミニＵＳＢプラグ２のミニＵＳＢプラグ本体２ａの相手コネクタへの挿入量はＤＣ電源用プラグ４のプラグピン４ａの相手コネクタへの挿入量より短いため（システムコネクタ（オス）５の構成コネクタ２，３，４の中で最も短いため）、相手コネクタとの接続状態（完全挿入状態）におけるミニＵＳＢプラグ２のミニＵＳＢプラグ本体２ａのケース１０の前側面からの突出長さ（相手コネクタへの挿入量に対応する長さ）はＤＣ電源用プラグ４のプラグピン４ａのケース１０の前側面からの突出長さより所定寸法Ｔ１だけ短くなるが（システムコネクタ（オス）５の構成コネクタ２，３，４の中で最も短くなるが）、相手コネクタとの非接続状態ではミニＵＳＢプラグ２のミニＵＳＢプラグ本体２ａはその挿入側端部（先端部）がイヤホンプラグ３のプラグピン３ａの挿入側端部（先端部）よりも挿入方向（前方）に所定寸法Ｔ２だけ突出するようになる。
【００２２】
さらに下ケース１０Ａの内側後部に前記プリント配線基板１４を装着固定するもので、このプリント配線基板１４に実装したミニＵＳＢソケット６とイヤホンジャック７とＤＣ電源用ジャック８のそれぞれのプラグ挿入口側端部を下ケース１０Ａの後側面に上方に向けて開放して設けた図示しない３つの切り欠き部とそれに対応して上ケース１０Ｂの後側面に下方に向けて開放して設けた図示しない３つの切り欠き部との間に挟み込み、ミニＵＳＢソケット６とイヤホンジャック７とＤＣ電源用ジャック８のそれぞれのプラグ挿入口を下ケース１０Ａの後側面の３つの切り欠きとそれに対応する上ケース１０Ｂの後側面の３つの切り欠きとの間からケース１０の後方に向けて開口し、ミニＵＳＢソケット６とイヤホンジャック７とＤＣ電源用ジャック８のそれぞれのプラグ挿入口をケース１０の後側面に略面一に横並び状態で配設している。
【００２３】
またミニＵＳＢプラグ２とピンプラグ１２のイヤホンプラグ３とＤＣ電源用プラグ４はケース１の内部でそれぞれリード線２９，３０，３１を介して前記プリント配線基板１４に電気的に接続することにより、ミニＵＳＢプラグ２とミニＵＳＢソケット６とを電気的に接続し、イヤホンプラグ３とイヤホンジャック７とを電気的に接続し、ＤＣ電源用プラグ４とＤＣ電源用ジャック８とを電気的に接続している。この場合ミニＵＳＢプラグ２とミニＵＳＢソケット６とを電気的に接続するリード線２９に少なくともミニＵＳＢプラグ２の移動距離以上の弛み２９ａを設け、ミニＵＳＢプラグ２が挿抜方向（前後方向）へ移動できるようになっている。
【００２４】
以上のように構成した中継用コネクタ１はこのシステムコネクタ（メス）９のＤＣ電源用ジャック８に車載のシガーソケットと携帯電話機との接続ケーブルをこのケーブルの一端に設けられたＤＣ電源用プラグ（本来携帯電話機のＤＣ電源用ソケットに接続する）を介して接続し、また前記システムコネクタ（メス）９のイヤホンジャック７に例えば車載のオーディオ機器やＦＭトランスミッター等と携帯電話機との接続ケーブルをこのケーブルの一端に設けられたイヤホンプラグ（本来携帯電話機のイヤホンジャックに接続する）を介して接続し、さらに前記システムコネクタ（メス）９のミニＵＳＢソケット６に例えば車載のハンズフリーユニットやカーナビユニット等と携帯電話機との接続ケーブルをこのケーブルの一端に設けられたミニＵＳＢプラグ（本来携帯電話機のミニＵＥＢソケットに接続する）を介して接続し、この状態で車内に載置しておくことにより、携帯電話機と車載の前記シガーソケット、オーディオ機器やＦＭトランスミッター等、ハンズフリーユニットやカーナビユニット等との接続が、中継用コネクタ１のシステムコネクタ（オス）５のミニＵＳＢプラグ２（ミニＵＳＢプラグ本体２ｂ）とイヤホンプラグ３（イヤホンプラグ３のプラグピン３ａ）とＤＣ電源用プラグ４（ＤＣ電源用プラグ４のプラグピン４ａ）を携帯電話機の一側面に配設されたミニＵＳＢソケットとイヤホンジャックとＤＣ電源用ジャックに挿入するだけで行うことができ、また携帯電話機と車載の上記各種アダプタや車載の対応機器との切り離しも、中継用コネクタ１のシステムコネクタ（オス）５のミニＵＳＢプラグ２とイヤホンプラグ３とＤＣ電源用プラグ４を携帯電話機の一側面に配設されたミニＵＳＢソケットとイヤホンジャックとＤＣ電源用ジャックから引き抜き抜去るだけで行うことができる。このため上記中継用コネクタ１を使用することにより携帯電話機に直接ケーブルを装着する必要がなくなるので、携帯電話機が車内で面倒なく使用できるようになる。
【００２５】
また中継用コネクタ１のシステムコネクタ（オス）５のミニＵＳＢプラグ２とイヤホンプラグ３とＤＣ電源用プラグ４を携帯電話機の一側面に配設されたミニＵＳＢソケットとイヤホンジャックとＤＣ電源用ジャックに挿入する際、相手コネクタへの挿入量がイヤホンプラグ３とＤＣ電源用プラグ４（他のプラグ）より短く、本来であればケース１０の前側面からの突出長さがイヤホンプラグ３とＤＣ電源用プラグ４より短く、イヤホンプラグ３とＤＣ電源用プラグ４が相手コネクタに挿入された後、最後に相手コネクタに挿入されるミニＵＳＢプラグ２（１のプラグ）が、ケース１０に挿抜方向（前後方向）に移動自在に取り付けられ、各圧縮コイルバネ２７，２８により挿入方向（前方）に常時付勢され、非接続状態時にはイヤホンプラグ３とＤＣ電源用プラグ４よりも挿入方向前方へ押し出されているので、このミニＵＳＢプラグ２をイヤホンプラグ３とＤＣ電源用プラグ４より先に相手コネクタに位置合わせして嵌合できると共に、ミニＵＳＢプラグ２が相手コネクタに嵌合されさえすれば、イヤホンプラグ３とＤＣ電源用プラグ４（ピンプラグ１２）はケース１０との間に設けられた融通隙間Ｓ１，Ｓ２により挿抜方向と直交する上下左右方向に僅かに動かすことができ、しかもイヤホンプラグ３とＤＣ電源用プラグ４を一体化しているモールド部１２ａに柔軟性があるため、先に相手コネクタに挿入されたミニＵＳＢプラグ２に対するイヤホンプラグ３とＤＣ電源用プラグ４のピッチ調整及びイヤホンプラグ３とＤＣ電源用プラグ４との間のピッチ調整が行え、容易に相手コネクタに位置合わせして嵌合できるため、中継用コネクタ１のシステムコネクタ（オス）５のミニＵＳＢプラグ２とイヤホンプラグ３とＤＣ電源用プラグ４が携帯電話機の一側面に配設されたミニＵＳＢソケットとイヤホンジャックとＤＣ電源用ジャックに容易に、かつ小さい挿入力で挿入できる。さらにミニＵＳＢプラグ２はそのプラグ形状からそれだけでもイヤホンプラグ３やＤＣ電源用プラグ４等のピン型のプラグに比べて相手コネクタへの挿入が難しいため、ミニＵＳＢプラグ２をイヤホンプラグ３とＤＣ電源用プラグ４より先に相手コネクタに位置合わせして嵌合することは中継用コネクタ１のシステムコネクタ（オス）５の相手コネクタへの挿入を容易化する上で極めて有効である。
【００２６】
而して中継用コネクタ１のシステムコネクタ（オス）５のミニＵＳＢプラグ２とイヤホンプラグ３とＤＣ電源用プラグ４はそれぞれの挿入側端部（ミニＵＳＢプラグ本体２ｂの先端部、イヤホンプラグ３のプラグピン３ａの先端部、ＤＣ電源用プラグ４のプラグピン４ａの先端部）がこの順でそれぞれの相手コネクタと位置合わせされて嵌合された後、イヤホンプラグ３とＤＣ電源用プラグ４が相手コネクタに挿入され、この挿入に伴ってミニＵＳＢプラグ２は各圧縮コイルバネ２７，２８をこの付勢力に抗して圧縮しながら抜去方向（後方）へ押し込まれ、各後ストッパ１１ｂの後端が隔壁２２，２３の閉鎖端面に突き当たり抜去方向（後方）への移動が規制された時点で相手コネクタに挿入され、これ以降ミニＵＳＢプラグ２とイヤホンプラグ３とＤＣ電源用プラグ４がそれぞれの相手コネクタに同時に挿入されて完全挿入される一方、この完全挿入状態から中継用コネクタ１のシステムコネクタ（オス）５のミニＵＳＢプラグ２とイヤホンプラグ３とＤＣ電源用プラグ４を抜去る場合、イヤホンプラグ３とＤＣ電源用プラグ４が相手コネクタから引き抜きかれるのに伴ってミニＵＳＢプラグ２は相手コネクタに完全挿入状態で各圧縮コイルバネ２７，２８を伸長しながら挿入方向（前方）へ引き出され、各前ストッパ１１ｂの前端面が下ケース１０Ａの隔壁１７，１８の切り欠き１７ａ，１８ａの前端段差面とそれに対応する上ケース１０Ｂの隔壁の切り欠きの前端段差面に突き当たり挿入方向（前方）への移動が規制された時点で相手コネクタから引き抜かれ、これ以降ミニＵＳＢプラグ２とイヤホンプラグ３とＤＣ電源用プラグ４がそれぞれの相手コネクタから同時に引き抜かれて抜去られるものである。
【００２７】
なお中継用コネクタ１はそれ単体でも車内に設置しで使用できるが、車載用の携帯電話機ホルダーや充電台に組み込んで使用することが望ましい。
【００２８】
以上本実施の形態は本発明の好適な実施の形態の一例を示したが、本発明はそれに限定されることなく、その要旨を逸脱しない範囲内で種々変形実施することができる。例えば中継用コネクタ１のシステムコネクタ（オス）５のコネクタ構成及びシステムコネクタ（メス）９のコネクタ構成は携帯電話機等携帯端末側に装備される種類の異なる複数のコネクタに対応したコネクタ構成に適宜変更することができる。
【図面の簡単な説明】
【００２９】
【図１】本発明の実施の形態に係る中継用コネクタの上ケース除去状態の斜視図である。
【図２】図１のプラグ側部のみ分解した状態の斜視図である。
【図３】図１のプラグ側部の平面説明図である。
【図４】図１のプラグ側部の正面説明図である。
【符号の説明】
【００３０】
１  中継用コネクタ
２  ミニＵＳＢプラグ
３  イヤホンプラグ
４  ＤＣ電源用プラグ
５  システムコネクタ（オス）
６  ミニＵＳＢソケット
７  イヤホンジャック
８  ＤＣ電源用ジャック
９  システムコネクタ（オス）
１４  プリント配線基板
２７，２８  圧縮コイルバネ（弾性部材）
２９，３０，３１  リード線
２９ａ  弛み
Ｓ１，Ｓ２  融通隙間
【図１】
0004580858.tif 000002
【図２】
0004580858.tif 000003
【図３】
0004580858.tif 000004
【図４】
0004580858.tif 000005